(57)【特許請求の範囲】
【請求項１】
地中レーダ用のアンテナ・システムであって、２つのシート状のアンテナ装置を備え、該２つのアンテナ装置は、少なくとも１つの送信機アンテナ（１）と少なくとも１つの受信機アンテナ（２）とをそれぞれ含み、各アンテナ装置におけるアンテナ（１、２）は、レーダ吸収材料（４）の層の下側に位置する電気絶縁シート担体（３）上に金属構造物を塗布することによって形成されるモノポールからなり、材料層の上面が、金属製接地平面（５）によって被覆される、アンテナ・システムにおいて、
該アンテナ装置は、該アンテナ装置が通常動作中に先端を地面（１０）へと下方に向けた状態でＶ字形状くさびを形成するために、給電点（６）から下方に傾斜する姿勢を有するように配置され、接地平面（５）は、互いに電気的に接続されていないことを特徴とする、アンテナ・システム。
【請求項２】
前記アンテナ（１、２）は、本質的にＶ字形状である、請求項１に記載のアンテナ・システム。
【請求項３】
前記レーダ吸収材料（４）は、１つまたは複数の層からなる、請求項１または２に記載のアンテナ・システム。
【請求項４】
前記２つのアンテナ装置の間の垂直平面における角度（α）が、前記接地平面（５）を互いに機械的に接続する非導電性ヒンジ（９）を使用して、調節することができる、請求項１乃至３のいずれか一項に記載のアンテナ・システム。
【請求項５】
前記アンテナの端末点が、抵抗器（７）および金属製スペーサ（８）を介して前記接地平面（５）に接続される、請求項１乃至４のいずれか一項に記載のアンテナ・システム。
【請求項６】
前記送信機アンテナ（１）の端末点は、前記受信機アンテナ（２）の前記端末点に向けて方向付けられる、請求項１乃至５のいずれか一項に記載のアンテナ・システム。
【請求項７】
複数の送信機アンテナ（１）および複数の受信機アンテナ（２）を備え、
前記２つのアンテナ装置の間で対称軸に沿って分散されるアンテナの線形アレイを形成する、請求項１乃至６のいずれか一項に記載のアンテナ・システム。
【請求項８】
シート担体（３）は、好ましくはガラス繊維基板からなる積層板、特に回路基板積層板である、請求項１乃至７のいずれか一項に記載のアンテナ・システム。
【発明の詳細な説明】
【技術分野】
【０００１】
本発明は、送信される電磁波が主に地中へと下方に放射される地中レーダ用のアンテナ・システムを含む。
【背景技術】
【０００２】
地中レーダは、地中へと電磁波（電波）を下方に送信して、地下の物体または地層からの反射を測定するタイプのレーダである。このタイプのレーダ用のアンテナは、可能な最善の方法で、送信された信号を地中へと下方に貫通させなければならない。それゆえ、アンテナは、地面に近接して配置すべきである。レーダの送信機と受信機の間で十分に絶縁するために、別個の送信機および受信機のユニットが、通常、採用されて、互いに隣接して取り付けられる。
【０００３】
いわゆる「ボウタイ（ｂｏｗｔｉｅ）」アンテナは、広い帯域幅が必要である、いくつかの使用法のために採用されてきた。そのようなアンテナが記載されている最もよく知られた論文は、たとえば（非特許文献１）である。それ以来、多くの論文が、このタイプのアンテナの変形に関して発表されてきた。地中レーダに関しては、ボウタイ・ダイポールを採用することが通例であったが、しかし、これらのアンテナは、満足に動作するために、いわゆる「バラン（ｂａｌｕｎ）」（平衡不平衡）変圧器が必要である。（非特許文献２）には、１対のボウタイ・モノポールからなり、Ｖ字形状の接地平面の底面側に取り付けられる新しいアンテナ・システムが開示されている。このアンテナ・システムは、ダイポールの代わりに、モノポールからなるので、アンテナは、もうバランに依存することはなくなった。しかし、接地平面の形状が原因で、接地平面とアンテナ素子の間のスペースを埋めるために、比較的大量の損失物質（吸収体）が使用されることになる。
【０００４】
さらに発展したアンテナは、（特許文献１〜３）として特許を取得している。この特許によれば、送信機および受信機のアンテナは、ヒンジによって接続される共通の接地平面上に取り付けられ、そのヒンジによって、アンテナの間の角度αを最適値に調節することが可能になる。しかし、この構造の下側は、送信機アンテナからのレーダ信号の一部分が送信機アンテナの反対側に配置された受信用アンテナで、その信号が地面に入る前に、反射される。それゆえ、望ましくない二重パルスが生成され、それによって、近くに埋まっている物体を分離するレーダの能力が低下する。さらに、地面自体から上方に反射されるレーダ波が、アンテナ構造によって１回追加して反射されることになり、そのために、接続される接地平面に起因する、いわゆる「コーナ反射体（ｃｏｒｎｅｒ  ｒｅｆｌｅｃｔｏｒ）」が構成される。反射された信号は、地面に再び入って、いわゆる多重信号（ｍｕｌｔｉｐｌｅ  ｓｉｇｎａｌ）を発生することになり、それによって、レーダ画像の忠実度が低下する。この構造の第３の欠点は、これらのアンテナが互いに反対側に配置されるために、送信機アンテナから受信機アンテナに強い直接波が与えられることである。
【先行技術文献】
【特許文献】
【０００５】
【特許文献１】ノルウェー国特許第３１６，６５８号明細書
【特許文献２】欧州特許第１，５５８，９４６号明細書
【特許文献３】米国特許第７，１７０，４４９号明細書
【非特許文献】
【０００６】
【非特許文献１】Ｇ．Ｈ．ブラウン（Ｇ．Ｈ．Ｂｒｏｗｎ）およびＯ．Ｍ．ウッドワード（Ｏ．Ｍ．Ｗｏｏｄｗａｒｄ）“ＲＣＡ  Ｒｅｖｉｅｗ”，ｐｇ．４２５−４５２，Ｄｅｃｅｍｂｅｒ，１９５２
【非特許文献２】Ｅ．Ｓ．アイデ（Ｅ．Ｓ．Ｅｉｄｅ），“ＩＥＥ  Ｔｒａｎｓａｃｔｉｏｎｓ  ｏｎ  Ｍｉｃｒｏｗａｖｅ，  Ａｎｔｅｎｎａｓ  ａｎｄ  Ｐｒｏｐａｇａｔｉｏｎ”，２０００，Ｖｏｌ．１４７，Ｎｏ．３
【発明の概要】
【発明が解決しようとする課題】
【０００７】
ここで、アンテナは、本発明による新アンテナ・システムへとさらに発展され、本発明は、上記に述べた事項に対して新しい改善された解決策を開示する。
本発明の目的は、先行するアンテナ・システムより品質が高いレーダ信号を与えるアンテナを生み出すことである。本発明によって、送信機アンテナから受信機アンテナへの直接波を著しく抑制し、二重パルスをほぼ完全に無くし、そしてアンテナと地表面の間で多重を著しく抑制することが可能になる。
【０００８】
本発明の別の目的は、アンテナ・システムのより簡単でより安定した機械的構造を可能にすることである。本発明によるアンテナ・システムの特徴は、独立請求項１で明らかである。さらなる特徴は、従属請求項によって与えられる。
【課題を解決するための手段】
【０００９】
本発明による地中レーダ用のアンテナ・システムは、２つのシート状のアンテナ装置を備え、その２つのアンテナ装置は、少なくとも１つの送信機アンテナおよび少なくとも１つの受信機アンテナをそれぞれ含む。各アンテナ装置におけるアンテナは、電気絶縁担体シートに金属表面を塗布することによって形成されるモノポールからなり、その担体シートは、レーダ吸収材料の層の下側に配置され、その材料層の上面は、金属製接地平面によって被覆される。アンテナ装置が通常動作中に先端を地面へと下方に向けた状態でＶ字形状くさびを形成するために、アンテナ装置を給電点から下方に傾斜する姿勢を有するように配置すると、有利である。さらに、接地平面が互いに電気的に接続されていない状態にあると、有益である。
【００１０】
好ましい実施形態によれば、送信機アンテナおよび受信機アンテナは、主にＶ字形状である。
一実施形態によれば、２つのアンテナ装置の間の垂直平面における角度（α）は、前記接地平面を互いに機械的に接続する非導電性ヒンジを使用して、調節することができる。
【００１１】
アンテナの端末点（給電点から見たとき、アンテナの最外部に位置する）は、通常、抵抗器およびスペーサを介して接地平面に接続される。さらに、送信機アンテナの端末点を受信機アンテナの端末点に向けて方向付けることは有益である。
【００１２】
一実施形態によれば、アンテナ・システムは、複数の送信機アンテナおよび複数の受信機アンテナを備え、２つのアンテナ装置の間で対称軸に沿って分散されるアンテナの線形アレイを作る。
【００１３】
レーダ吸収材料は、１つまたは複数の抵抗性層を含むことができる。シート担体は、好ましくはガラス繊維基板からなる積層板、特に回路基板積層板とすることができる。
ここで、添付図面を参照して、本発明をより綿密に述べる。
【図面の簡単な説明】
【００１４】
【図１】側面から見たアンテナ・システムの横断面図。
【図２】下側から見た本発明によるアンテナ・システムの実施形態を示す図。
【図３】本発明による、いくつかの送信機アンテナおよびいくつかの受信機アンテナがアンテナ・システムの対称軸に沿って分散されるアンテナ・システムの実施形態を示す図。
【発明を実施するための形態】
【００１５】
図１は、以下で述べるように、送信するおよび受信するための２つのアンテナ装置を備えるアンテナ・システムを示す。送信機アンテナおよび受信機アンテナ（１、２）は、モノポールからなり、そのモノポールは、電気絶縁シート担体（３）上の導電性材料から作られ、たとえば、タイプＦＲ−４の１．５５ｍｍの厚さの回路基板積層板とすることができる。モノポールは、たとえば、給電点（６）との最適なインピーダンス整合のために三角形状、またはＶ字形状とすることができる。回路基板積層板（３）は、電波を吸収する吸収材料（４）からなるシートの下側に配置される。吸収材料（４）は、薄い抵抗性層からなる材料とするか、あるいは、吸収材料（４）は、レーダ吸収材料、たとえばエマーソン・アンド・カミング社（Ｅｍｅｒｓｏｎ  ａｎｄ  Ｃｕｍｉｎｇ）製のＥｃｃｏｓｏｒｂ  ＡＮ７９タイプのものとすることができる。吸収材料は、金属からなる下層の接地平面（５）上に配置される。送信するおよび受信するためのアンテナ（１、２）は、同じように構成される。各々のアンテナは、給電点（６）において同軸ケーブルによって給電され、その給電点では、同軸ケーブルの中心線がアンテナ（１、２）に接続され、スクリーンが接地平面（５）に接続される。アンテナ外側部分は、以下、端末点と呼ばれ、たとえば５０オームの抵抗器（７）を介して接地平面に接続され、その抵抗器は、接地平面（５）上に取り付けられる。アンテナ装置は、Ｖ字形状くさびを、その先端が地面に向かって下方に向けられている状態で、形成するように配置される。
【００１６】
動作の間、アンテナ端末点は、地面（１０）に最も接近し、スペーサ（８）によって、回路基板積層板（３）が接地平面（５）に機械的に取り付けられる。接地平面の２つの部分が、この実施例では、非導電性ヒンジ（９）によって互いに接続され、それによって、アンテナの間の角度αを最適値に調節できるようになる。本発明の本質的な特徴は、送信機アンテナおよび受信機アンテナのための接地平面が、それぞれ、互いに電気的に接続されていないということである。本発明の別の特徴は、アンテナの端末点が、互いからできるだけ遠くに離れる代わりに、互いに向き合っているということである。角度αの最適値は、測定状況毎に変化することになり、土壌の誘電特性は、決定的要因となる。動作の間、アンテナは、給電点（６）から下方に傾斜する姿勢を取るように配置されることになる。
【００１７】
図２は、下から見たアンテナ・システムの実施形態を示し、そこでは、抵抗器（７）および接地平面に対する金属製スペーサ（８）が給電点（６）から最も遠くに配置された状態で、送信用アンテナおよび受信用アンテナ（１、２）は、Ｖ字形状である。
【００１８】
本発明によるアンテナ・システムの別の実施形態が、図３に示されている。前記図は、アンテナ・システムの対称軸に沿って分散される、いくつかの送信機アンテナおよびいくつかの受信機アンテナからなる線形アンテナ・アレイを示し、その軸は、Ｖ字形状くさびの先端部の底部でヒンジ（９）を通過している。
【図１】
0005937219.tif 000002
【図２】
0005937219.tif 000003
【図３】
0005937219.tif 000004